(57)【特許請求の範囲】
【請求項１】
マトリックス状に配置された信号線および走査線、および前記信号線および前記走査線の交点に設けられたＯＣＢモード液晶を使用した液晶表示素子を有する液晶表示パネルと、
前記走査線にゲート信号を供給するゲートドライバと、
表示期間には、前記信号線に表示データの階調に対応する電圧を供給し、黒挿入期間には、前記信号線に黒色の階調に対応する電圧を供給するソースドライバと、
前記液晶表示パネルを照明する照明手段と、
所定の場所に取り付けられて、その温度を検出する温度検出手段と、
前記検出された温度に基づいて、前記黒挿入期間の比率を決定し、前記ソースドライバを制御する制御手段と、
前記制御手段が前記黒挿入期間の比率を決定するための、前記液晶表示パネルの温度とその温度で必要な黒挿入期間の比率との相関関係が定められた黒挿入率決定テーブルと、を備え、
前記制御手段は、
前記温度検出手段で検出された温度が所定温度未満の場合には、前記温度検出手段で検出された温度を前記液晶表示パネルの温度とし、前記温度検出手段で検出された温度が前記所定温度以上の場合には、前記温度検出手段で検出された温度から一定の温度差を減算した温度を前記液晶表示パネルの温度とし、
起動後、前記検出される温度が上昇し、前記所定温度を初めて超えたタイミングより後の期間においては、前記検出された温度が前記所定温度未満の場合には、前記黒挿入期間の比率が予め決められた所定の比率になるようにし、前記検出された温度が前記所定温度以上の場合には、前記黒挿入率決定テーブルに基づいて前記検出された温度に応じて前記黒挿入期間の比率を変動させ、
前記起動から前記タイミングまでの期間においては、前記黒挿入率決定テーブルに基づいて前記検出された温度に応じて前記黒挿入期間の比率を変動させる、液晶表示装置。
【請求項２】
前記制御手段が決定する前記黒挿入期間の比率は、前記検出された温度において、前記ＯＣＢモード液晶の逆転移を防止することができるような黒挿入期間の最小の比率に等しいかまたはその比率より大きい、請求項１に記載の液晶表示装置。
【請求項３】
さらに、外気温を検出する外気温検出手段を備え、
前記制御手段は、外気温がより高い場合には前記所定温度がより高くなるように、前記検出された外気温に応じて前記所定温度を変更する、請求項１に記載の液晶表示装置。
【請求項４】
マトリックス状に配置された信号線および走査線、および前記信号線および前記走査線の交点に設けられたＯＣＢモード液晶を使用した液晶表示素子を有する液晶表示パネルと、
前記走査線にゲート信号を供給するゲートドライバと、
表示期間には、前記信号線に表示データの階調に対応する電圧を供給し、黒挿入期間には、前記信号線に黒色の階調に対応する電圧を供給するソースドライバと、
前記液晶表示パネルを照明する照明手段と、
所定の場所に取り付けられて、その温度を検出する温度検出手段と、
前記検出された温度に基づいて、前記黒挿入期間の比率を決定し、前記ソースドライバを制御する制御手段と、
前記液晶表示パネルの温度と、その温度で必要な黒挿入期間の比率とを関連づける黒挿入率決定テーブルと、
前記温度検出手段で検出される温度と、その温度に対応する前記液晶表示パネルの温度とを関連づける温度補正テーブルとを備え、
前記制御手段は、
前記温度補正テーブルに基づいて、前記温度検出手段で検出された温度から前記液晶表示パネルの温度を求め、
起動後、前記検出される温度が上昇し、所定温度を初めて超えたタイミングより後の期間においては、前記検出された温度が前記所定温度未満の場合には、前記黒挿入期間の比率が予め決められた所定の比率になるようにし、前記検出された温度が前記所定温度以上の場合には、前記黒挿入率決定テーブルに基づいて前記求めた前記液晶表示パネルの温度から前記黒挿入期間の比率を決定して変動させ、
前記起動から前記タイミングまでの期間においては、前記黒挿入率決定テーブルに基づいて前記求めた前記液晶表示パネルの温度から前記黒挿入期間の比率を決定して変動させる、液晶表示装置。
【請求項５】
さらに、ＧＰＳにより位置情報を取得する位置情報取得手段を備え、
前記制御手段は、地域毎の複数の前記温度補正テーブルを有しており、前記位置情報に対応する地域の前記温度補正テーブルに基づいて、前記黒挿入期間の比率を決定する、請求項４に記載の液晶表示装置。
【請求項６】
マトリックス状に配置された信号線および走査線、および前記信号線および前記走査線の交点に設けられたＯＣＢモード液晶を使用した液晶表示素子を有する液晶表示パネルと、前記走査線にゲート信号を供給するゲートドライバと、表示期間には、前記信号線に表示データの階調に対応する電圧を供給し、黒挿入期間には、前記信号線に黒色の階調に対応する電圧を供給するソースドライバと、を有する液晶表示装置の液晶表示方法において
温度検出手段が取り付けられた所定の場所の温度を検出する温度検出ステップと、
起動後、前記検出される温度が上昇し、所定温度を初めて超えたタイミングより後の期間か、前記タイミングより前の期間かを判定するタイミング判定ステップと、
前記温度検出手段で検出された温度が前記所定温度未満の場合には、前記温度検出手段で検出された温度を前記液晶表示パネルの温度とし、前記温度検出手段で検出された温度が所定温度以上の場合には、前記温度検出手段で検出された温度から一定の温度差を減算した温度を前記液晶表示パネルの温度とし、前記タイミングより後の期間においては、前記検出された温度が前記所定温度未満の場合には、前記黒挿入期間の比率が予め決められた所定の比率になるようにし、前記検出された温度が前記所定温度以上の場合には、前記液晶表示パネルの温度とその温度で必要な黒挿入期間の比率との相関関係が定められた黒挿入率決定テーブルに基づいて前記検出された温度に応じて前記黒挿入期間の比率を変動させ、前記起動から前記タイミングまでの期間においては、前記黒挿入率決定テーブルに基づいて前記検出された温度に応じて前記黒挿入期間の比率を変動させるようにして、前記ソースドライバを制御する表示制御ステップとを備えた、液晶表示方法。
【請求項７】
マトリックス状に配置された信号線および走査線、および前記信号線および前記走査線の交点に設けられたＯＣＢモード液晶を使用した液晶表示素子を有する液晶表示パネルと、前記走査線にゲート信号を供給するゲートドライバと、表示期間には、前記信号線に表示データの階調に対応する電圧を供給し、黒挿入期間には、前記信号線に黒色の階調に対応する電圧を供給するソースドライバと、を有する液晶表示装置の液晶表示方法において
温度検出手段が取り付けられた所定の場所の温度を検出する温度検出ステップと、
起動後、前記検出される温度が上昇し、所定温度を初めて超えたタイミングより後の期間か、前記タイミングより前の期間かを判定するタイミング判定ステップと、
前記温度検出手段で検出される温度とその温度に対応する前記液晶表示パネルの温度とを関連づける温度補正テーブルを用いて、前記温度検出手段で検出された温度から前記液晶表示パネルの温度を算出する表示パネル温度算出ステップと、
前記タイミングより後の期間においては、前記検出された温度が前記所定温度未満の場合には、前記黒挿入期間の比率が予め決められた所定の比率になるようにし、前記検出された温度が前記所定温度以上の場合には、前記液晶表示パネルの温度とその温度で必要な黒挿入期間の比率との相関関係が定められた黒挿入率決定テーブルに基づいて前記算出した前記液晶表示パネルの温度に応じて前記黒挿入期間の比率を変動させ、前記起動から前記タイミングまでの期間においては、前記黒挿入率決定テーブルに基づいて前記算出した前記液晶表示パネルの温度に応じて前記黒挿入期間の比率を変動させるようにして、前記ソースドライバを制御する表示制御ステップとを備えた、液晶表示方法。
【発明の詳細な説明】
【技術分野】
【０００１】
本発明は、ＯＣＢモード液晶を用いた液晶表示装置、および液晶表示方法に関する。
【背景技術】
【０００２】
液晶表示装置は薄型、軽量であり、従来のブラウン管に代替するものとして、近年一層用途が拡大されてきた。しかし、現在広く使用されているＴＮ（Ｔｗｉｓｔｅｄ  Ｎｅｍａｔｉｃ）配向液晶表示パネルは視野角が狭く、また応答速度が遅く、動画表示時には尾を引くように見える等、ブラウン管より画質が劣る。
【０００３】
これに対して、近年、高速応答、高視野角という特徴を有するＯＣＢ（Ｏｐｔｉｃａｌｌｙ  Ｃｏｍｐｅｎｓａｔｅｄ  Ｂｉｒｅｆｒｉｎｇｅｎｃｅ）モードの液晶表示素子を備える液晶表示装置が用いられるようになってきている。この液晶表示装置は、液晶をベンド配向させて視覚補償を行い、さらにこれに光学位相補償フィルムを組み合わせることにより広い視野角を得るようにしたものである。
【０００４】
図９は、ＯＣＢモードの液晶表示素子が有する液晶分子の配向状態を模式的に示した断面図である。図９（ａ）および図９（ｂ）は、電圧印加状態を示した断面図であり、図９（ｃ）は、電圧無印加状態を示した断面図である。
【０００５】
ＯＣＢモードの液晶表示素子を用いた液晶表示装置を構成する液晶表示パネルのガラス基板９１の間には、図９（ａ）等に液晶分子９２として示すように、ネマチック液晶が注入されている。そして、電圧を印加していない液晶の配向状態は、スプレイ状態９３と呼ばれている。ＯＣＢモードの液晶表示素子を用いた液晶表示装置の電源投入時には転移駆動と呼ばれる駆動を行う必要がある。すなわち、転移駆動とは、液晶表示装置の電源投入時にこの液晶層に２０ボルトから２５ボルト程度の比較的大きな電圧を印加することにより、図９（ｃ）に示すスプレイ状態９３から図９（ａ）、図９（ｂ）に示すベンド状態９４ａ、９４ｂに転移させる駆動のことである。このベンド状態９４ａ、９４ｂを用いて表示を行うのが、ＯＣＢモードの液晶表示素子を用いた液晶表示装置の特徴であり、電圧の大きさによってベンド状態を変化させることにより、パネルの透過率を変化させるものである。
【０００６】
図９（ａ）に示すベンド状態９４ａは、白表示をしている場合のベンド状態を示し、図９（ｂ）のベンド状態９４ｂは、黒表示をしている場合のベンド状態を示している。
【０００７】
また、ＯＣＢモードの液晶表示素子を用いた液晶表示装置では、その液晶表示パネルに２ボルト以下の電圧を印加し続けると、液晶の配向状態は、ベンド状態９４ａ、９４ｂからスプレイ状態９３に徐々に移行してしまう（以下この移行を逆転移と呼ぶ）。このような逆転移を防止するために、ＯＣＢモードの液晶表示素子を用いた液晶表示装置では、逆転移防止駆動と呼ばれる駆動が行われる。
【０００８】
つまり、比較的低い電圧が印加されているときに白表示を行い、比較的高い電圧が印加されているときに黒表示を行うノーマリホワイトモードの液晶表示装置の場合、逆転移防止駆動とは、各画素に周期的に表示する映像信号とは別に黒色に対応する電圧を印加することにより、逆転移を防止する駆動である。逆転移防止駆動には、逆転移の防止のために画素に黒色に対応する電圧を印加する動作と、映像信号に対応する電圧を印加する動作とを交互に行う、２倍速変換と呼ばれる逆転移防止駆動がある。従って、ＯＣＢモードの液晶表示素子を用いた液晶表示装置では、１フレーム（または１フィールド）の映像を表示する期間には、映像信号に対応する電圧を画素に印加している表示期間と、逆転移防止のために黒色に対応する電圧を画素に印加している黒挿入期間とが設けられている。
【０００９】
図１０に、従来のＯＣＢモードの液晶表示素子を用いた液晶表示装置１０１の構成を示す（例えば、特許文献１参照）。
【００１０】
液晶表示装置１０１は、液晶表示パネル１０２、バックライトユニット１０３、温度センサー１０４、温度検出手段１０５、黒挿入率設定手段１０７、バックライト制御手段１１１、および液晶表示パネル駆動処理手段１１２を備えている。
【００１１】
液晶表示パネル１０２は、ＯＣＢモードの液晶表示素子を用いた液晶表示パネルである。
【００１２】
バックライトユニット１０３は、液晶表示パネル１０２を照明する装置であり、例えば冷陰極管などから構成されている。
【００１３】
温度センサー１０４は、液晶表示パネル１０２の温度を検知して、液晶表示パネル１０２の温度に対応する電流等の信号を出力する手段である。
【００１４】
温度検出手段１０５は、温度センサー１０４から出力されてきた信号に基づいて液晶表示パネル１０２の温度を検出する手段である。
【００１５】
黒挿入率設定手段１０７は、温度検出手段１０５から通知される液晶表示パネル１０２の温度に応じて黒挿入期間の比率を設定する手段である。
【００１６】
バックライト制御手段１１１は、バックライトユニット１０３の明るさを例えば、ＰＷＭ（Ｐｕｌｓｅ  Ｗａｖｅ  Ｍｏｄｕｌａｔｉｏｎ）制御を用いて制御する手段である。
【００１７】
液晶表示パネル駆動処理手段１１２は、黒挿入率設定手段１０７で設定された黒挿入期間の比率で液晶表示パネル１０２を駆動する手段である。
【００１８】
図１１に、液晶表示装置１０１のうち、液晶表示パネル駆動処理手段１１２と、バックライトユニット１０３と、液晶表示パネル１０２との詳細な構成を示す。
【００１９】
ここで、図１１に示すゲートドライバ１２７およびソースドライバ１２６は、図１０に示す液晶表示パネル駆動処理手段１１２を構成しており、図１１に示す液晶表示パネル１０２は、図１０の液晶表示パネル１０２に相当している。
【００２０】
液晶表示パネル１０２は、ＴＦＴ（Ｔｈｉｎ  Ｆｉｌｍ  Ｔｒａｎｓｉｓｔｏｒ）タイプの表示パネルである。液晶表示パネル１０２は、内面に共通電極（図示せず）が形成された対向基板（図示せず）と、内面に画素電極１２２、走査線１２３、信号線１２４、およびスイッチング素子１２５が形成されたＴＦＴ基板（図示せず）とが、液晶層を挟んで対向するように配置されている。走査線１２３と信号線１２４は、ＴＦＴ基板上でマトリックス状に配設されており、その走査線１２３と信号線１２４とで区画された各画素毎に、画素電極１２２およびスイッチング素子１２５が形成されている。そして、各走査線１２３はゲートドライバ１２７に接続されており、各信号線１２４は、ソースドライバ１２６に接続されている。また、液晶表示パネル１０２の背面にはバックライトユニット１０３が設けられている。
【００２１】
次に、このような従来の液晶表示装置１０１の動作を説明する。
【００２２】
液晶表示装置１０１の電源が入れられた際には、液晶表示パネル１０２の液晶層は、図９（ｃ）に示すようにスプレイ状態９３のままであるので、図９（ａ）のベンド状態９４ａや図９（ｂ）のベンド状態９４ｂに転移させる必要がある。そこで、液晶表示装置１０１の電源が入れられた際には、液晶表示装置１０１は、液晶層をスプレイ状態からベンド状態に転移させるために転移駆動を行う。すなわち、液晶表示パネル駆動処理手段１１２のソースドライバ１２６は、画素電極１２２と共通電極との間の電圧が所定の時間だけ２０ボルトから２５ボルトという映像を表示する際の電圧よりも高い電圧になるように、転移駆動のための電圧として、信号線１２４に２０ボルトから２５ボルトの電圧を印加する。従って、液晶層には転移駆動のための電圧が所定時間印加されることになるので、液晶表示パネル１０２の液晶層は、スプレイ状態からベンド状態に転移し、液晶表示装置１０１の表示動作が可能となる。
【００２３】
上記のように転移駆動が完了し、表示動作が可能になると、液晶表示装置１０１は表示動作を開始する。
【００２４】
液晶表示装置１０１が表示動作を行う際には、液晶表示パネル駆動処理手段１１２は、外部から入力される映像信号に応じて、ゲートドライバ１２７、ソースドライバ１２６にそれぞれ制御信号を送る。その結果、ゲートドライバ１２７は、走査線１２３に走査信号電圧を印加して各画素のスイッチング素子１２５を順次オンさせる。
【００２５】
表示期間には、ソースドライバ１２６は、ゲートドライバ１２７が走査線１２３に走査信号電圧を印加するタイミングに合わせて、信号線１２４を通じて映像信号に応じた電圧を各画素の画素電極１２２に印加する。これにより液晶表示パネル１０２の液晶分子９２が変調され、バックライトユニット１０３から出射される光の透過率が変化する。その結果、ユーザの目に映像信号に対応する画像が映る。
【００２６】
また、黒挿入期間には、ソースドライバ１２６は、ゲートドライバ１２７が走査線１２３に走査信号電圧を印加するタイミングに合わせて、信号線１２４を通じて黒色に対応する電圧を各画素の画素電極１２２に印加する。これにより液晶表示パネル１０２の液晶分子９２が変調され、バックライトユニット１０３から出射される光の透過率が変化する。その結果、ユーザの目に黒色の映像が映る。
【００２７】
図１２は、従来の液晶表示装置１０１の動作の一例を示すタイミングチャートである。（ａ）は、各走査線１２３に印加される電圧であり、各走査線１２３に対する走査のタイミングを示している。また、（ｂ）は、各信号線１２４を介して画素電極１２２に印加される電圧の変化を示している。また、（ｃ）は、バックライトユニット１０３が液晶表示パネル１０２を照明する明るさを示している。また、図１２において、Ｎは液晶表示パネル１０２が有している走査線１２３の本数を示している。また、Ｔ１は、１フレーム期間（または１フィールド期間）を示している。また、Ｔ２は映像信号電圧を画素電極１２２に印加する期間である表示期間を示し、Ｔ３は、黒色に対応する電圧を画素電極１２２に印加する期間である黒挿入期間を示している。
【００２８】
図１２に示すように、１フレーム期間Ｔ１は、表示期間Ｔ２と黒挿入期間Ｔ３とから構成されている。そして、図１２の（ａ）に示すように、これらの表示期間Ｔ２と黒挿入期間Ｔ３とのそれぞれにおいて、全ての走査線１２３に対して順次的に走査が行われる。また、液晶表示パネル１０２はドット反転駆動されるため、図１２の（ｂ）に示すように、表示期間Ｔ２と黒挿入期間Ｔ３とのそれぞれにおいて、書き込まれる信号の電圧極性がドット毎に反転するように、画素電極１２２に印加される電圧が変化する。
【００２９】
また、図１２の（ｃ）に示すように、バックライトユニット１０３は、バックライト制御手段１１１の制御に従って、点灯と消灯とを交互に繰り返している。すなわち、バックライト制御手段１１１は、ＰＷＭ（Ｐｕｌｓｅ  Ｗａｖｅ  Ｍｏｄｕｌａｔｉｏｎ）制御を用いてバックライトユニット１０３の点灯と消灯との比率を調整することにより、バックライトユニット１０３が液晶表示パネル１０２を照明する際の明るさを制御する。
【００３０】
一方、温度センサー１０４は、液晶表示パネル１０２の温度を検知して、液晶表示パネル１０２の温度に対応する電流等の信号を出力する。温度検出手段１０５は、温度センサー１０４から出力されてきた信号に基づいて液晶表示パネル１０２の温度を検出する。温度検出手段１０５で検出された温度は、黒挿入率設定手段１０７に送られる。
【００３１】
黒挿入率設定手段１０７は、図１５に示すような、液晶表示パネル１０２の温度と黒挿入期間の比率との関係を示すテーブルを利用して、黒挿入期間の比率を設定する。黒挿入率設定手段１０７は、温度センサー１０４で検出された温度から液晶表示パネル１０２の温度を算出し、図１５の関係を示すテーブルに基づいて、その算出した液晶表示パネル１０２の温度に対応する黒挿入期間の比率を求める。
【００３２】
液晶表示装置１０１は、高温になると、液晶分子が動きやすくなるためにベンド配向からスプレイ配向への逆転移が発生しやすくなる。図１３は、その逆転移を防止して、ベンド配向を安定して維持することができるような黒挿入率を特定するために、液晶表示パネル１０２の表面付近の温度と適切な黒挿入率との関係を予め調べることによって求めた、液晶表示パネル１０２の表面温度と黒挿入率の関係を示す図である。
【００３３】
図１４は、液晶表示装置１０１起動後の、液晶表示パネル１０２の表面温度と温度センサー１０４で検出される温度との、それぞれの経時変化を示した図である。図１４に示す「パネル温度」とは、液晶表示パネル１０２の表面温度を示しており、「温度検出（センサー）温度」とは、温度センサー１０４で検出された温度を示している。
【００３４】
図１４を見てわかるように、温度センサー１０４では、液晶表示装置１０１起動直後の低温状態からの表示開始時には、液晶表示パネル１０２の温度との差が小さい温度が検出されるが、時間が経過して温度が上昇していくと、液晶表示パネル１０２の温度との差が大きい温度が検出されるようになる。これは、温度が上昇していくと、バックライトユニット１０３や回路基板からの放熱などの影響を受けるためである。そして、ある時間経過以降は、図１４に示すように、これらの温度差は一定となり、液晶表示パネル１０２の温度と温度センサー１０４で検出される温度が相関を持つようになる。
【００３５】
温度センサー１０４を液晶表示パネル１０２に近接させて設置すれば、この温度差は小さくなるが、構造上、液晶表示パネル１０２に近接させて配置できない場合も多い。また、液晶表示パネル１０２に近接させて設置しても、温度差は小さくなるものの、このような温度差の経時的な変化は必ず発生してしまう。
【００３６】
この温度差が相関のある温度まで上昇した後は、温度センサー１０４で検出された温度から実際の液晶表示パネル１０２の温度をほぼ正確に推測できる。そこで、従来は、相関を持つ温度以上になった場合に、温度センサー１０４に対応させて黒挿入期間の比率を設定していた。そして、相関を持つ温度に達していない場合には、相関を持つ最低温度に設定されている黒挿入期間の比率を設定するようにしていた。図１５が、このような相関関係を持つ温度範囲を考慮して作成した、液晶表示パネル１０２の温度に対して設定すべき黒挿入期間の比率の関係を示す一例である。
【００３７】
相関を持つ温度に達していない温度に対して、相関があるものとして温度センサー１０４で検出された温度から液晶表示パネル１０２の温度を推測すると、一旦相関のある温度まで達した以降は実際の液晶表示パネル１０２の温度をほぼ正確に推測できるが、起動直後には、図１４より実際の液晶表示パネル１０２の温度よりも低い温度が算出されてしまうことになる。つまり、起動直後においては、図１３に示すように温度が高いほど黒挿入率を高くしなければ逆転移が発生してしまうので、液晶表示パネル１０２の温度が実際の温度よりも低く算出されて、設定すべき黒挿入率よりも小さい黒挿入率が設定されてしまい、逆転移が発生するおそれがある。
【００３８】
そのために、図１５に示すように、相関を持つ温度に達していない温度の場合には、黒挿入率を高く設定するようにしていた。この例の場合の相関を持つ温度とは、図１５に示すように液晶表示パネル１０２の温度が２０℃のときである。そしてこれは、図１４より、温度センサー１０４で検出される温度が約３０℃のときである。
【特許文献１】特開２００３−２９５１５６号公報
【発明の開示】
【発明が解決しようとする課題】
【００３９】
しかしながら、従来の図１５のテーブルを用いた黒挿入期間の比率の設定方法では、液晶表示装置の起動直後には、必要な黒挿入期間以上の比率で黒色が表示されるために画面が暗く表示されてしまうという問題がある。
【００４０】
すなわち、バックライトユニット１０３は、ある温度まで上昇しないと十分な明るさで発光できないが、液晶表示装置の起動時にはその温度に達していないので、起動直後のその温度に達するまでの期間は、バックライトユニット１０３は十分な明るさで発光できない。このバックライトユニット１０３が十分な明るさで発光できない起動直後の期間に、必要な黒挿入期間以上の比率で黒色を表示するために、より暗く表示されてしまうことになる。
【００４１】
一方、起動直後に、早く明るく表示させることの要求は多い。例えば、カーナビゲーションシステムなどでは、エンジン始動後、すなわち液晶表示装置の起動直後にすぐに見易く使用できるようにと、短時間で十分な明るさで表示させるという要求が特に強い。
【００４２】
ここで、起動直後の黒挿入期間の比率を小さくして黒色が表示される期間を短くすることにより、起動直後の表示画面の暗さを軽減し、早く十分な表示画面の明るさにすることができる。
【００４３】
本発明は、上述した従来の課題を解決するもので、起動直後から明るく表示できる、液晶表示装置、および液晶表示方法を提供することを目的とする。
【課題を解決するための手段】
【００４４】
上述した課題を解決するために、第１の本発明は、
マトリックス状に配置された信号線および走査線、および前記信号線および前記走査線の交点に設けられたＯＣＢモード液晶を使用した液晶表示素子を有する液晶表示パネルと、
前記走査線にゲート信号を供給するゲートドライバと、
表示期間には、前記信号線に表示データの階調に対応する電圧を供給し、黒挿入期間には、前記信号線に黒色の階調に対応する電圧を供給するソースドライバと、
前記液晶表示パネルを照明する照明手段と、
所定の場所に取り付けられて、その温度を検出する温度検出手段と、
前記検出された温度に基づいて、前記黒挿入期間の比率を決定し、前記ソースドライバを制御する制御手段と、
前記制御手段が前記黒挿入期間の比率を決定するための、前記液晶表示パネルの温度とその温度で必要な黒挿入期間の比率との相関関係が定められた黒挿入率決定テーブルと、を備え、
前記制御手段は、
前記温度検出手段で検出された温度が所定温度未満の場合には、前記温度検出手段で検出された温度を前記液晶表示パネルの温度とし、前記温度検出手段で検出された温度が前記所定温度以上の場合には、前記温度検出手段で検出された温度から一定の温度差を減算した温度を前記液晶表示パネルの温度とし、
起動後、前記検出される温度が上昇し、前記所定温度を初めて超えたタイミングより後の期間においては、前記検出された温度が前記所定温度未満の場合には、前記黒挿入期間の比率が予め決められた所定の比率になるようにし、前記検出された温度が前記所定温度以上の場合には、前記黒挿入率決定テーブルに基づいて前記検出された温度に応じて前記黒挿入期間の比率を変動させ、
前記起動から前記タイミングまでの期間においては、前記黒挿入率決定テーブルに基づいて前記検出された温度に応じて前記黒挿入期間の比率を変動させる、液晶表示装置である。
【００４７】
また、第２の本発明は、
前記制御手段が決定する前記黒挿入期間の比率は、前記検出された温度において、前記ＯＣＢモード液晶の逆転移を防止することができるような黒挿入期間の最小の比率に等しいかまたはその比率より大きい、第１の本発明の液晶表示装置である。
【００４８】
また、第３の本発明は、
さらに、外気温を検出する外気温検出手段を備え、
前記制御手段は、外気温がより高い場合には前記所定温度がより高くなるように、前記検出された外気温に応じて前記所定温度を変更する、第１の本発明の液晶表示装置である。
【００４９】
また、第４の本発明は、
マトリックス状に配置された信号線および走査線、および前記信号線および前記走査線の交点に設けられたＯＣＢモード液晶を使用した液晶表示素子を有する液晶表示パネルと、
前記走査線にゲート信号を供給するゲートドライバと、
表示期間には、前記信号線に表示データの階調に対応する電圧を供給し、黒挿入期間には、前記信号線に黒色の階調に対応する電圧を供給するソースドライバと、
前記液晶表示パネルを照明する照明手段と、
所定の場所に取り付けられて、その温度を検出する温度検出手段と、
前記検出された温度に基づいて、前記黒挿入期間の比率を決定し、前記ソースドライバを制御する制御手段と、
前記液晶表示パネルの温度と、その温度で必要な黒挿入期間の比率とを関連づける黒挿入率決定テーブルと、
前記温度検出手段で検出される温度と、その温度に対応する前記液晶表示パネルの温度とを関連づける温度補正テーブルとを備え、
前記制御手段は、
前記温度補正テーブルに基づいて、前記温度検出手段で検出された温度から前記液晶表示パネルの温度を求め、
起動後、前記検出される温度が上昇し、所定温度を初めて超えたタイミングより後の期間においては、前記検出された温度が前記所定温度未満の場合には、前記黒挿入期間の比率が予め決められた所定の比率になるようにし、前記検出された温度が前記所定温度以上の場合には、前記黒挿入率決定テーブルに基づいて前記求めた前記液晶表示パネルの温度から前記黒挿入期間の比率を決定して変動させ、
前記起動から前記タイミングまでの期間においては、前記黒挿入率決定テーブルに基づいて前記求めた前記液晶表示パネルの温度から前記黒挿入期間の比率を決定して変動させる、液晶表示装置である。
【００５０】
また、第５の本発明は、
さらに、ＧＰＳにより位置情報を取得する位置情報取得手段を備え、
前記制御手段は、地域毎の複数の前記温度補正テーブルを有しており、前記位置情報に対応する地域の前記温度補正テーブルに基づいて、前記黒挿入期間の比率を決定する、第４の本発明の液晶表示装置である。
【００５１】
また、第６の本発明は、
マトリックス状に配置された信号線および走査線、および前記信号線および前記走査線の交点に設けられたＯＣＢモード液晶を使用した液晶表示素子を有する液晶表示パネルと、前記走査線にゲート信号を供給するゲートドライバと、表示期間には、前記信号線に表示データの階調に対応する電圧を供給し、黒挿入期間には、前記信号線に黒色の階調に対応する電圧を供給するソースドライバと、を有する液晶表示装置の液晶表示方法において
温度検出手段が取り付けられた所定の場所の温度を検出する温度検出ステップと、
起動後、前記検出される温度が上昇し、所定温度を初めて超えたタイミングより後の期間か、前記タイミングより前の期間かを判定するタイミング判定ステップと、
前記温度検出手段で検出された温度が前記所定温度未満の場合には、前記温度検出手段で検出された温度を前記液晶表示パネルの温度とし、前記温度検出手段で検出された温度が所定温度以上の場合には、前記温度検出手段で検出された温度から一定の温度差を減算した温度を前記液晶表示パネルの温度とし、前記タイミングより後の期間においては、前記検出された温度が前記所定温度未満の場合には、前記黒挿入期間の比率が予め決められた所定の比率になるようにし、前記検出された温度が前記所定温度以上の場合には、前記液晶表示パネルの温度とその温度で必要な黒挿入期間の比率との相関関係が定められた黒挿入率決定テーブルに基づいて前記検出された温度に応じて前記黒挿入期間の比率を変動させ、前記起動から前記タイミングまでの期間においては、前記黒挿入率決定テーブルに基づいて前記検出された温度に応じて前記黒挿入期間の比率を変動させるようにして、前記ソースドライバを制御する表示制御ステップとを備えた、液晶表示方法である。
また、第７の本発明は、
マトリックス状に配置された信号線および走査線、および前記信号線および前記走査線の交点に設けられたＯＣＢモード液晶を使用した液晶表示素子を有する液晶表示パネルと、前記走査線にゲート信号を供給するゲートドライバと、表示期間には、前記信号線に表示データの階調に対応する電圧を供給し、黒挿入期間には、前記信号線に黒色の階調に対応する電圧を供給するソースドライバと、を有する液晶表示装置の液晶表示方法において
温度検出手段が取り付けられた所定の場所の温度を検出する温度検出ステップと、
起動後、前記検出される温度が上昇し、所定温度を初めて超えたタイミングより後の期間か、前記タイミングより前の期間かを判定するタイミング判定ステップと、
前記温度検出手段で検出される温度とその温度に対応する前記液晶表示パネルの温度とを関連づける温度補正テーブルを用いて、前記温度検出手段で検出された温度から前記液晶表示パネルの温度を算出する表示パネル温度算出ステップと、
前記タイミングより後の期間においては、前記検出された温度が前記所定温度未満の場合には、前記黒挿入期間の比率が予め決められた所定の比率になるようにし、前記検出された温度が前記所定温度以上の場合には、前記液晶表示パネルの温度とその温度で必要な黒挿入期間の比率との相関関係が定められた黒挿入率決定テーブルに基づいて前記算出した前記液晶表示パネルの温度に応じて前記黒挿入期間の比率を変動させ、前記起動から前記タイミングまでの期間においては、前記黒挿入率決定テーブルに基づいて前記算出した前記液晶表示パネルの温度に応じて前記黒挿入期間の比率を変動させるようにして、前記ソースドライバを制御する表示制御ステップとを備えた、液晶表示方法である。
【発明の効果】
【００５４】
本発明により、起動直後から明るく表示できる、液晶表示装置、および液晶表示方法を提供できる。
【発明を実施するための最良の形態】
【００５５】
以下、本発明の実施の形態について、図面を参照しながら説明する。
【００５６】
（実施の形態１）
図１は、本発明の実施の形態１の液晶表示装置の構成を示すブロック図である。
【００５７】
液晶表示装置１０は、液晶表示パネル１１、バックライトユニット１２、温度センサー１３、温度検出手段１４、黒挿入率設定手段１５、および液晶表示パネル駆動処理手段１６を備えている。
【００５８】
なお、液晶表示パネル１１と、バックライトユニット１２と、液晶表示パネル駆動処理手段１６との詳細な構成は、図１１に示すような従来と同じ構成をしており、その動作も従来の液晶表示装置１０１の動作と同様である。
【００５９】
液晶表示パネル１１は、ＯＣＢモードの液晶表示素子を用いた液晶表示パネルである。
【００６０】
バックライトユニット１２は、液晶表示パネル１１を照明する装置であり、例えば冷陰極管などから構成されている。なお、バックライトユニット１２が、本発明の照明手段の一例にあたる。
【００６１】
温度センサー１３は、液晶表示パネル１１の温度を検知するために、液晶表示パネル１１の背面に配置されたバックライトユニット１２に取り付けられており、検知した温度に対応する電流等の信号を出力する手段である。
【００６２】
温度検出手段１４は、温度センサー１３から出力されてきた信号に基づいて、温度センサー１３の取り付けられた位置の温度を検出する手段である。
【００６３】
黒挿入率設定手段１５は、温度検出手段１４で検出された温度に基づいて、液晶表示パネル１１の液晶層がベンド状態からスプレイ状態に逆転移することを防止するための黒挿入期間の比率を決定し、その比率に従って液晶表示パネル１１に表示するように液晶表示パネル駆動処理手段１６を制御する手段である。なお、黒挿入率設定手段１５が、本発明の制御手段の一例にあたる。
【００６４】
黒挿入率設定手段１５は、温度判定手段１７、起動後低温時黒挿入率決定手段１８、所定温度到達後黒挿入率決定手段１９、および黒挿入率決定テーブル３１を有している。温度判定手段１７は、温度検出手段１４で検出された温度が、予め決められている所定の温度以上か否かを判定する手段である。起動後低温時黒挿入率決定手段１８と所定温度到達後黒挿入率決定手段１９は、ともに黒挿入率決定テーブル３１を用いて温度検出手段１４で検出された温度に応じた黒挿入期間の比率を決定する手段であり、起動後からのタイミングと温度検出手段１４で検出された温度によって、いずれかの手段が使い分けられる。
【００６５】
液晶表示パネル駆動処理手段１６は、黒挿入率設定手段１５で設定された黒挿入期間の比率で液晶表示パネル１１を駆動する手段である。
【００６６】
次に、本実施の形態１の液晶表示装置１０の、黒挿入期間を決定する動作について説明する。
【００６７】
図２は、周囲温度−２０℃において液晶表示装置１０を起動したときの、液晶表示パネル１１の表面温度と温度センサー１３で検出される温度との、それぞれの起動からの経時変化を示している。図２の液晶パネル温度２０は、液晶表示パネル１１の温度を示しており、センサー検出温度２１は、温度センサー１３から出力されてきた信号に基づいて温度検出手段１４が検出した温度を示している。
【００６８】
図２より、温度が上昇して液晶パネル温度２０が２０℃以上になった以降は、液晶パネル温度２０とセンサー検出温度２１との温度差は約１０℃の一定の温度差となっていることがわかる。しかし、起動時の双方の温度が等しい状態から相関を有する温度（液晶パネル温度２０が２０℃）に達するまでの期間は、この温度差は徐々に広がっていき、この相関を有する温度に達するタイミングまでの期間には、液晶パネル温度２０とセンサー検出温度２１に相関関係が無い。
【００６９】
そこで、本実施の形態１の液晶表示装置１０では、液晶表示パネル１１の温度を取得する際に、相関を有する温度に達するまでは、温度検出手段１４で検出された温度をそのまま液晶表示パネル１１の温度とし、相関を有する温度に達した以降、すなわち液晶パネル温度２０とセンサー検出温度２１との温度差が安定した状態になった以降は、温度検出手段１４で検出された温度から温度差を考慮して液晶表示パネル１１の温度を算出している。例えば、図２に示すような温度の経時変化を示す本実施の形態１の場合には、起動後にセンサー検出温度２１が３０℃に達するまでの期間は、センサー検出温度２１をそのまま液晶表示パネル１１の温度とし、センサー検出温度２１が３０℃に達した以降は、センサー検出温度２１から１０℃減じた温度を液晶表示パネル１１の温度とする。
【００７０】
なお、温度検出手段１４が、温度センサー１３から出力されてきた信号に基づいて、温度センサー１３の取り付けられた位置の温度を検出する処理が、本発明の温度検出ステップの一例にあたる。
【００７１】
温度判定手段１７は、温度検出手段１４で検出された温度が、起動後に相関を有する温度（図２の場合は、センサー検出温度２１が３０℃）に初めて達したタイミングよりも前のタイミングか、それ以降のタイミングかを判定する。そして、起動後に初めて相関を有する温度に達したタイミングよりも前のタイミングであると判定した場合には、起動後低温時黒挿入率決定手段１８に黒挿入期間の比率を決定させ、起動後に初めて相関を有する温度に達した以降のタイミングであると判定した場合には、所定温度到達後黒挿入率決定手段１９に黒挿入期間の比率を決定させる。また、温度判定手段１７は、起動後低温時黒挿入率決定手段１８または所定温度到達後黒挿入率決定手段１９に黒挿入期間の比率を決定させる際に、上記の方法により温度検出手段１４で検出された温度から液晶表示パネル１１の温度を求め、その求めた温度を、起動後低温時黒挿入率決定手段１８または所定温度到達後黒挿入率決定手段１９に通知する。
【００７２】
なお、温度判定手段１７が上記のタイミングを判定する処理が、本発明のタイミング判定ステップの一例にあたる。また、起動後に相関を有する温度（ここでは、センサー検出温度２１が３０℃）が、本発明の所定温度の一例にあたる。
【００７３】
図３（ａ）は、起動後低温時黒挿入率決定手段１８が黒挿入期間の比率を決定する際に用いる黒挿入率決定テーブル３１であり、液晶表示パネル１１の各温度において必要な黒挿入期間の比率の関係を示している。図３（ａ）は、逆転移を防止して、ベンド配向を安定して維持することができるような黒挿入率を特定するために、液晶表示パネル１１の表面付近の温度と適切な黒挿入率との関係を予め調べることによって求めた、液晶表示パネル１１の温度と黒挿入率の関係であり、図１３と同じものである。
【００７４】
図３（ｂ）は、所定温度到達後黒挿入率決定手段１９が黒挿入期間の比率を決定する際に用いる黒挿入率決定テーブル３１であり、液晶表示パネル１１の各温度において必要な黒挿入期間の比率の関係を示している。図３（ｂ）における液晶表示パネル１１の温度と黒挿入期間の比率の関係は、相関を有する温度（ここでは、液晶表示パネル１１の温度が２０℃）以上の温度範囲では図３（ａ）と同じであり、相関を有する温度未満の温度範囲では、黒挿入期間の比率を一定の１６％としている。
【００７５】
なお、図３（ａ）に示す関係が、本発明の、液晶表示パネルの温度とその温度で必要な黒挿入期間の比率との相関関係の一例である。また、図３（ｂ）における、相関を有する温度未満の温度範囲における黒挿入期間の比率を一定の値とした比率（ここでは、１６％）が、本発明の、予め決められた所定の比率の一例である。
【００７６】
起動後低温時黒挿入率決定手段１８は、温度判定手段１７から黒挿入期間の比率の決定の要求を受けると、図３（ａ）の関係を用いて、温度判定手段１７から通知される液晶表示パネル１１の温度から黒挿入期間の比率を決定する。
【００７７】
一方、所定温度到達後黒挿入率決定手段１９は、温度判定手段１７から黒挿入期間の比率の決定の要求を受けると、図３（ｂ）の関係を用いて、温度判定手段１７から通知される液晶表示パネル１１の温度から黒挿入期間の比率を決定する。
【００７８】
なお、温度判定手段１７からの要求に応じて起動後低温時黒挿入率決定手段１８または所定温度到達後黒挿入率決定手段１９が黒挿入期間の比率を決定する処理が、本発明の表示制御ステップの一例にあたる。
【００７９】
図４（ａ）および図４（ｂ）は、起動後低温時黒挿入率決定手段１８および所定温度到達後黒挿入率決定手段１９が、黒挿入期間の比率を決定する際に用いる黒挿入率決定テーブル３１の他の一例を示しており、それぞれ液晶表示パネル１１の各温度において必要な黒挿入期間の比率の関係を示している。このように、液晶表示パネル１１の段階的な温度範囲毎に黒挿入期間の比率が設定されている黒挿入率決定テーブル３１を用いて黒挿入期間の比率を決定してもよい。
【００８０】
なお、図３（ａ）に示す関係が、本発明の、ＯＣＢモード液晶の逆転移を防止することができるような黒挿入期間の最小の比率を示しており、図４（ａ）は、各パネル温度に対するその最小の比率よりも大きい比率になるように設定されている。
【００８１】
起動後の初めて相関を有する温度に達したタイミングまでの期間は、図２に示すように、液晶表示パネル１１の温度は温度センサー１３で検出される温度に近いので、図３（ａ）の関係を用いて、温度判定手段１７より通知される液晶表示パネル１１の温度から黒挿入期間の比率を決定しても、実際の液晶表示パネル１１の温度において必要とされる黒挿入期間の比率を下回ることがない。したがって、このようにして決定した黒挿入期間の比率で表示させても逆転移が発生することはない。
【００８２】
一方、一旦相関を有する温度に達したタイミング以降に温度が降下してきた場合、液晶表示パネル１１の温度と温度センサー１３で検出された温度との間に相関関係があるとして、温度判定手段１７が温度検出手段１４で検出された温度から液晶表示パネル１１の温度を算出すると、実際の液晶表示パネル１１の温度よりも低い温度が算出されてしまうおそれがある。実際の液晶表示パネル１１の温度よりも低い温度が液晶表示パネル１１の温度として算出された場合に、図３（ａ）の関係を用いて黒挿入期間の比率を求めると、実際の液晶表示パネル１１の温度において必要とされる黒挿入期間の比率より小さくなってしまい、逆転移が発生してしまう。
【００８３】
一旦相関を有する温度に達したタイミング以降に温度が降下してきた場合とは、例えばバックライトユニット１２の発光が異常になった場合等、何らかの異常が発生した場合と考えられるため、このような場合には、液晶表示パネル１１の温度と温度センサー１３で検出された温度との間には相関関係が維持されていない可能性が高い。このような場合でも、逆転移が発生しないようにするために、本実施の形態１では、図３（ｂ）の関係を用いて、相関を有する温度以下になった場合に黒挿入期間の比率を一定にするようにしている。
【００８４】
例えば、図２に示すような温度の相関関係を有する場合に、一旦相関を有する温度に達したタイミング以降に温度が降下してきて温度センサー１３で検出された温度が１０℃だったとすると、温度判定手段１７は、相関があるものとして液晶表示パネル１１の温度を０℃と算出する。そして、図３（ａ）の関係を用いると、液晶表示パネル１１の温度０℃に対して黒挿入期間の比率として８％が決定されることになる。しかし、このときの実際の液晶表示パネル１１の温度が１０℃だったとすると、実際に必要な黒挿入期間の比率は１３％以上であるため、８％の黒挿入期間の比率で表示させると逆転移が発生してしまう。
【００８５】
本実施の形態１では、この場合には、図３（ｂ）の関係を用いて黒挿入期間の比率を決定するので、液晶表示パネル１１が２０℃のときの黒挿入期間の比率１６％が設定され、このような異常な状態になった場合でも、逆転移が発生することがない。
【００８６】
本実施の形態１の液晶表示装置１０では、起動後の初めて相関を有する温度に達するタイミングまでの期間には、図３（ａ）の関係を用いて黒挿入期間の比率を決定するので、黒挿入期間の比率を小さくでき、低温からの起動直後のバックライトが十分に明るくなっていない状態でも、より明るく表示させることができる。したがって、起動後の規定の明るさに達するまでの時間を短縮できる。
【００８７】
（実施の形態２）
図５は、本発明の実施の形態２の液晶表示装置の構成を示すブロック図である。図１に示す実施の形態１の液晶表示装置１０と同じ構成部分には、同じ符号を用いている。
【００８８】
本実施の形態２の液晶表示装置５０は、実施の形態１の液晶表示装置１０の構成に加えて外気温検出手段５２を備えており、黒挿入設定手段５１の温度判定手段５３および所定温度到達後黒挿入率決定手段５４が、外気温検出手段５２から通知される外気温も考慮して処理する点が、実施の形態１と異なる。
【００８９】
外気温検出手段５２は、液晶表示装置５０の周囲の温度を検出する手段である。液晶表示装置５０の周囲の温度が検出できればよく、バックライトユニット１２や回路基板からの放熱などの影響を受けない位置に取り付けられた温度センサーで検出するようにしてもよいし、他に用いられている温度センサーの検出温度を流用するようにしてもよい。例えば、液晶表示装置５０が自動車のカーナビゲーションシステムで使用されているような場合には、エアコン用に取り付けられた車内の温度を検出する温度センサーの検出温度を用いるようにしてもよい。
【００９０】
また、本実施の形態２の黒挿入設定手段５１は、所定温度到達後黒挿入率決定手段５４が黒挿入期間の比率を決定する際に用いる黒挿入率決定テーブルを、外気温に対応して複数有している。
【００９１】
次に、本実施の形態２の液晶表示装置５０の、黒挿入期間を決定する動作について説明する。ここでは、実施の形態１の液晶表示装置１０の動作と異なる部分について説明する。
【００９２】
実施の形態１と同様に、温度検出手段１４が、温度センサー１３から出力されてきた信号に基づいて、温度センサーの取り付けられた位置で検出された温度を、黒挿入設定手段５１の温度判定手段５３に通知する。
【００９３】
外気温検出手段５２は、検出された液晶表示装置５０の周囲の温度を温度判定手段５３に通知する。
【００９４】
温度判定手段５３は、外気温検出手段５２から通知された周囲温度に応じて、液晶表示パネル１１の温度と温度センサー１３で検出される温度とが相関を有する温度範囲を決定する。周囲温度が高い場合には、相関を有する温度範囲を高い温度範囲に設定し、周囲温度が低い場合には、相関を有する温度範囲を高い温度範囲に設定する。
【００９５】
図２は、周囲温度が−２０℃の場合の液晶表示パネル１１の温度と温度センサー１３で検出される温度の経時変化を示しており、この場合には、液晶表示パネル１１の温度が２０℃以上の温度範囲において、液晶表示パネル１１の温度と温度センサー１３が相関を有するようになる。しかし、周囲温度が高いと、相関を有する温度範囲も高くなり、周囲温度が低いと相関を有する温度範囲も低くなる。
【００９６】
周囲温度に対する温度範囲の値は、装置毎に実験等により設定するようにすればよいが、ここでは、周囲温度が−２０℃の場合の相関を有する温度範囲を、温度センサー１３で検出される温度＝３０℃以上とし、周囲温度が−３０℃および０℃の場合の相関を有する温度範囲を、それぞれ温度センサー１３で検出される温度＝２０℃以上および５０℃以上と設定するものとして説明する。また、周囲温度が−２０℃の場合の温度センサー１３で検出される温度が３０℃のときの液晶表示パネル１１の温度を２０℃とし、周囲温度が−３０℃の場合の温度センサー１３で検出される温度が２０℃のときの液晶表示パネル１１の温度を１０℃とし、周囲温度が０℃の場合の温度センサー１３で検出される温度が５０℃のときの液晶表示パネル１１の温度を４０℃として説明する。なお、ここで、相関を有する温度範囲として設定する温度センサー１３で検出される温度が、本発明の所定温度の一例にあたる。
【００９７】
周囲温度が−２０℃の場合、実施の形態１で説明したのと同様に、温度判定手段５３は、温度検出手段１４で検出された温度が３０℃に初めて達したタイミングよりも前のタイミングか、それ以降のタイミングかを判定する。そして、起動後に初めて３０℃に達したタイミングよりも前のタイミングであると判定した場合には、起動後低温時黒挿入率決定手段１８に黒挿入期間の比率を決定させ、起動後に初めて３０℃に達した以降のタイミングであると判定した場合には、所定温度到達後黒挿入率決定手段５４に黒挿入期間の比率を決定させる。
【００９８】
周囲温度が−３０℃の場合には、温度判定手段５３は、温度検出手段１４で検出された温度が２０℃に初めて達したタイミングよりも前のタイミングか、それ以降のタイミングかを判定する。そして、起動後に初めて２０℃に達したタイミングよりも前のタイミングであると判定した場合には、起動後低温時黒挿入率決定手段１８に黒挿入期間の比率を決定させ、起動後に初めて２０℃に達した以降のタイミングであると判定した場合には、所定温度到達後黒挿入率決定手段５４に黒挿入期間の比率を決定させる。
【００９９】
そして、周囲温度が０℃の場合には、温度判定手段５３は、温度検出手段１４で検出された温度が５０℃に初めて達したタイミングよりも前のタイミングか、それ以降のタイミングかを判定する。そして、起動後に初めて５０℃に達したタイミングよりも前のタイミングであると判定した場合には、起動後低温時黒挿入率決定手段１８に黒挿入期間の比率を決定させ、起動後に初めて５０℃に達した以降のタイミングであると判定した場合には、所定温度到達後黒挿入率決定手段５４に黒挿入期間の比率を決定させる。
【０１００】
また、温度判定手段５３は、所定温度到達後黒挿入率決定手段５４に黒挿入期間の比率を決定させる際には、温度検出手段１４で検出された温度から求めた液晶表示パネル１１の温度を通知するとともに、相関を有する温度範囲の情報も通知する。
【０１０１】
黒挿入率決定テーブル５５は、起動後低温時黒挿入率決定手段１８が黒挿入期間の比率を決定する際に用いるための図３（ａ）の関係を示すテーブルと、所定温度到達後黒挿入率決定手段１９が黒挿入期間の比率を決定する際に用いるための図３（ｂ）、図６（ａ）、図６（ｂ）の関係を示す複数のテーブルを備えている。
【０１０２】
起動後低温時黒挿入率決定手段１８は、温度判定手段５３から黒挿入期間の比率の決定の要求を受けると、実施の形態１と同様に、図３（ａ）の関係を用いて、温度判定手段５３から通知される液晶表示パネル１１の温度から黒挿入期間の比率を決定する。
【０１０３】
一方、所定温度到達後黒挿入率決定手段５４は、温度判定手段５３から黒挿入期間の比率の決定の要求を受けると、相関を有する温度範囲の情報に応じた、液晶表示パネル１１の各温度において必要な黒挿入期間の比率の関係を用いて、温度判定手段５３から通知される液晶表示パネル１１の温度から黒挿入期間の比率を決定する。
【０１０４】
図６（ａ）は、周囲温度が−３０℃のときの、所定温度到達後黒挿入率決定手段５４が黒挿入期間の比率を決定する際に用いる、液晶表示パネル１１の各温度において必要な黒挿入期間の比率の関係を示している。また、図６（ｂ）は、周囲温度が０℃のときの、所定温度到達後黒挿入率決定手段５４が黒挿入期間の比率を決定する際に用いる、液晶表示パネル１１の各温度において必要な黒挿入期間の比率の関係を示している。
【０１０５】
ここで、周囲温度が−２０℃の場合には、温度判定手段５３から所定温度到達後黒挿入率決定手段５４に、相関を有する温度範囲情報として、液晶表示パネル１１の温度＝２０℃以上、という情報が通知される。この場合、所定温度到達後黒挿入率決定手段５４は、図３（ｂ）の関係を用いて、温度判定手段５３から通知される液晶表示パネル１１の温度から黒挿入期間の比率を決定する。
【０１０６】
周囲温度が−３０℃の場合には、温度判定手段５３から所定温度到達後黒挿入率決定手段５４に、相関を有する温度範囲情報として、液晶表示パネル１１の温度＝１０℃以上、という情報が通知される。この場合、所定温度到達後黒挿入率決定手段５４は、図６（ａ）の関係を用いて、温度判定手段５３から通知される液晶表示パネル１１の温度から黒挿入期間の比率を決定する。つまり、この場合には、温度判定手段５３から通知される液晶表示パネル１１の温度が１０℃以下の場合には、黒挿入期間の比率を一定の１２％に設定する。
【０１０７】
また、周囲温度が０℃の場合には、温度判定手段５３から所定温度到達後黒挿入率決定手段５４に、相関を有する温度範囲情報として、液晶表示パネル１１の温度＝４０℃以上、という情報が通知される。この場合、所定温度到達後黒挿入率決定手段５４は、図６（ｂ）の関係を用いて、温度判定手段５３から通知される液晶表示パネル１１の温度から黒挿入期間の比率を決定する。つまり、この場合には、温度判定手段５３から通知される液晶表示パネル１１の温度が３０℃以下の場合には、黒挿入期間の比率を一定の２４％に設定する。
【０１０８】
本実施の形態２の液晶表示装置５０は、周囲温度に応じた相関を有する温度範囲を用いて黒挿入期間の比率を設定するので、周囲温度が低い場合には、より低温になっても明るく表示させることができ、周囲温度が高い場合にも、確実に逆転移の発生を防止することができる。
【０１０９】
（実施の形態３）
図７は、本発明の実施の形態３の液晶表示装置の構成を示すブロック図である。図１に示す実施の形態１の液晶表示装置１０と同じ構成部分には、同じ符号を用いている。
【０１１０】
本実施の形態３の液晶表示装置７０は、実施の形態１の液晶表示装置１０の構成に加えて位置情報取得手段７２を備えており、黒挿入設定手段７１の温度判定手段７３が、位置情報取得手段７２から通知される位置情報も考慮して処理する点が、実施の形態１と異なる。
【０１１１】
位置情報取得手段７２は、液晶表示装置５０の設置されている位置の情報を取得する手段である。位置情報取得手段７２は、ＧＰＳ機能を有しており、緯度および経度の情報を温度判定手段７３に通知する。例えば、液晶表示装置５０が自動車のカーナビゲーションシステムで使用されているような場合には、カーナビゲーション機能で使用される位置情報を本実施の形態３で使用する位置情報として流用することができる。
【０１１２】
また、本実施の形態３の黒挿入設定手段７１の温度判定手段７３は、温度補正テーブル７４を用いて、温度検出手段１４で検出される温度から液晶表示パネル１１の温度を算出する。
【０１１３】
次に、本実施の形態３の液晶表示装置７０の、黒挿入期間を決定する動作について説明する。ここでは、実施の形態１の液晶表示装置１０の動作と異なる部分について説明する。
【０１１４】
実施の形態１と同様に、温度検出手段１４が、温度センサー１３から出力されてきた信号に基づいて、温度センサー１３が取り付けられた位置で検出された温度を、黒挿入設定手段７１の温度判定手段７３に通知する。
【０１１５】
位置情報取得手段７２は、現在の位置情報として、緯度および経度の情報を温度判定手段７３に通知する。
【０１１６】
図８は、温度判定手段７３が、温度検出手段１４で検出された温度から液晶表示パネル１１の温度を求めるために使用する温度補正テーブル７４の一例を示している。温度補正テーブル７４は、地域ごとに複数のテーブルを有している。図８（ａ）は、寒い地域で使用する温度補正テーブルであり、図８（ｂ）は、図８（ａ）を使用するよりも暖かい地域で使用する温度補正テーブルであり、図８（ｃ）は、図８（ｂ）を使用するよりもさらに暑い地域で使用する温度補正テーブルの一例を示している。
【０１１７】
温度判定手段７３は、複数の地域毎の温度補正テーブル７４の中から、位置情報取得手段７２から通知された位置情報に対応する温度補正テーブルを用いて、温度検出手段１４で検出された温度から液晶表示パネル１１の温度を求める。
【０１１８】
そして、温度判定手段７３は、温度補正テーブル７４を用いて求めた液晶表示パネル１１の温度に基づいて、起動後に相関を有する温度に初めて達したタイミングよりも前のタイミングか、それ以降のタイミングかを判定する。そして、起動後に初めて相関を有する温度に達したタイミングよりも前のタイミングであると判定した場合には、起動後低温時黒挿入率決定手段１８に黒挿入期間の比率を決定させ、起動後に初めて相関を有する温度に達した以降のタイミングであると判定した場合には、所定温度到達後黒挿入率決定手段１９に黒挿入期間の比率を決定させる。また、温度判定手段７３は、起動後低温時黒挿入率決定手段１８または所定温度到達後黒挿入率決定手段１９に黒挿入期間の比率を決定させる際に、温度補正テーブル７４を用いて求めた液晶表示パネル１１の温度を、起動後低温時黒挿入率決定手段１８または所定温度到達後黒挿入率決定手段１９に通知する。
【０１１９】
そして、起動後低温時黒挿入率決定手段１８および所定温度到達後黒挿入率決定手段１９は、温度判定手段７３からの黒挿入期間の比率の決定の要求を受けると、実施の形態１と同様の処理で黒挿入期間の比率を決定する。
【０１２０】
温度補正テーブル７４は、例えば、北海道用のテーブルと沖縄用のテーブルなどというように、気温の異なる地域毎に備えることで、温度検出手段１４で検出された温度から、より正確に液晶表示パネル１１の温度を求めることができる。また、温度判定手段７３は、位置情報とともに、日時情報から春夏秋冬といった季節も考慮して使用する温度補正テーブル７４を選択するようにすると、より正確に液晶表示パネル１１の温度を求めることができる。
【０１２１】
実施の形態１および２においても、本実施の形態３と同様に、温度補正テーブル７４を用いて液晶表示パネル１１の温度を求めるようにしてもよい。
【０１２２】
また、本実施の形態３においても、実施の形態２のように、所定温度到達後黒挿入率決定手段１９が黒挿入期間の比率を決定する際に、複数の黒挿入率決定テーブルの中から適切なテーブルを選択して用いるようにしてもよい。
【０１２３】
なお、各実施の形態では、例としてＰＷＭ変調により調光を行うこととしたが、他の方法で調光を行わせる液晶表示装置であってもよい。例えば、電圧可変や電流可変で調光を行わせてもよい。
【０１２４】
以上に説明したように、本発明の液晶表示装置および液晶表示方法は、低温から起動させる際には、液晶表示パネルの温度に対して逆転移が生じない範囲内で黒挿入期間の比率が小さくなるように制御するので、低温でバックライトが十分な明るさで発光できない状態でも、より明るく表示させることができる。また、一旦温度が上昇した後は、所定温度未満まで温度が下がった場合でも黒挿入期間の比率を所定の比率以下にはしないように制御するので、異常な状態になったような場合でも逆転移の発生を防止できる。
【０１２５】
なお、本発明に関連する発明のプログラムは、上述した本発明の液晶表示方法の、前記タイミングより後の期間か前の期間かを判定する前記タイミング判定ステップと、前記黒挿入期間の比率を決定して前記ソースドライバを制御する前記表示制御ステップの、いずれかまたは両方のステップの動作をコンピュータにより実行させるためのプログラムであって、コンピュータと協働して動作するプログラムである。
【０１２６】
また、本発明に関連する発明の記録媒体は、上述した本発明の液晶表示方法の、前記タイミングより後の期間か前の期間かを判定する前記タイミング判定ステップと、前記黒挿入期間の比率を決定して前記ソースドライバを制御する前記表示制御ステップの、いずれかまたは両方のステップの動作をコンピュータにより実行させるためのプログラムを記録した記録媒体であり、コンピュータにより読み取り可能かつ、読み取られた前記プログラムが前記コンピュータと協働して利用される記録媒体である。
【０１２７】
また、本発明に関連する発明のプログラムの一利用形態は、コンピュータにより読み取り可能な記録媒体に記録され、コンピュータと協働して動作する態様であっても良い。
【０１２８】
また、記録媒体としては、ＲＯＭ等が含まれる。
【０１２９】
また、上述した本発明に関連する発明のコンピュータは、ＣＰＵ等の純然たるハードウェアに限らず、ファームウェアや、ＯＳ、更に周辺機器を含むものであっても良い。
【０１３０】
なお、以上説明した様に、本発明の構成は、ソフトウェア的に実現しても良いし、ハードウェア的に実現しても良い。
【産業上の利用可能性】
【０１３１】
本発明にかかる液晶表示装置および液晶表示方法は、起動直後から明るく表示できるので、ＯＣＢモード液晶を用いた液晶表示装置および液晶表示方法等に有用である。
【図面の簡単な説明】
【０１３２】
【図１】本発明の実施の形態１の液晶表示装置の構成を示すブロック図
【図２】本発明の実施の形態１の液晶表示装置の起動後の、液晶表示パネルとセンサー検出温度の経時変化を示す図
【図３】（ａ）本発明の実施の形態１の、起動後低温時黒挿入率決定手段が用いる黒挿入率決定テーブルを示す図、（ｂ）本発明の実施の形態１の、所定温度到達後黒挿入率決定手段が用いる黒挿入率決定テーブルを示す図
【図４】（ａ）本発明の実施の形態１の、起動後低温時黒挿入率決定手段が用いる別の黒挿入率決定テーブルを示す図、（ｂ）本発明の実施の形態１の、所定温度到達後黒挿入率決定手段が用いる別の黒挿入率決定テーブルを示す図
【図５】本発明の実施の形態２の液晶表示装置の構成を示すブロック図
【図６】（ａ）本発明の実施の形態２の所定温度到達後黒挿入率決定手段が、周囲温度が低い場合に用いる黒挿入率決定テーブルを示す図、（ｂ）本発明の実施の形態２の所定温度到達後黒挿入率決定手段が、周囲温度が高い場合に用いる黒挿入率決定テーブルを示す図
【図７】本発明の実施の形態３の液晶表示装置の構成を示すブロック図
【図８】（ａ）本発明の実施の形態３の温度判定手段が、寒い地域で使用する温度補正テーブルを示す図、（ｂ）本発明の実施の形態３の温度判定手段が、暖かい地域で使用する温度補正テーブルを示す図、（ｃ）本発明の実施の形態３の温度判定手段が、暑い地域で使用する温度補正テーブルを示す図、
【図９】（ａ）ＯＣＢ液晶の、白表示の場合のベンド状態を示す図、（ｂ）ＯＣＢ液晶の、黒表示の場合のベンド状態を示す図、（ｃ）ＯＣＢ液晶のスプレイ状態を示す図
【図１０】従来の液晶表示装置の構成を示すブロック図
【図１１】従来の液晶表示装置の液晶表示パネル駆動処理手段、液晶表示パネル、及びバックライトユニットの詳細な構成を示す図
【図１２】従来の液晶表示装置を駆動するタイミングチャートを示す図
【図１３】従来の液晶表示装置における、液晶表示パネルの表面温度と適切な黒挿入率の関係を示す図
【図１４】従来の液晶表示装置の起動後の、液晶表示パネルとセンサー検出温度の経時変化を示す図
【図１５】従来の液晶表示装置が、液晶表示パネルの温度から黒挿入期間の比率を設定するために用いている、液晶表示パネルの温度と黒挿入期間の比率との関係を示す図
【符号の説明】
【０１３３】
１０、５０、７０  液晶表示装置
１１  液晶表示パネル
１２  バックライトユニット
１３  温度センサー
１４  温度検出手段
１５、５１、７１  黒挿入設定手段
１６  液晶表示パネル駆動処理手段
１７、５３、７３  温度判定手段
１８  起動後低温時黒挿入率決定手段
１９、５４  所定温度到達後黒挿入率決定手段
２０  液晶パネル温度
２１  センサー検出温度
３１、５５  黒挿入率決定テーブル
５２  外気温検出手段
７２  位置情報取得手段
７４  温度補正テーブル
【図１】
0004761869.tif 000002
【図２】
0004761869.tif 000003
【図３】
0004761869.tif 000004
【図４】
0004761869.tif 000005
【図５】
0004761869.tif 000006
【図６】
0004761869.tif 000007
【図７】
0004761869.tif 000008
【図８】
0004761869.tif 000009
【図９】
0004761869.tif 000010
【図１０】
0004761869.tif 000011
【図１１】
0004761869.tif 000012
【図１２】
0004761869.tif 000013
【図１３】
0004761869.tif 000014
【図１４】
0004761869.tif 000015
【図１５】
0004761869.tif 000016